(57)【特許請求の範囲】
【請求項１】
足掛具の芯金を保持する下型と芯金の上部を覆う上型とからなる足掛具の芯金を合成樹脂で被覆する装置において、下型に、足掛具の足踏部と脚部に相当する個所にスプリングで付勢された複数のピンを立設し、且つ足踏部に相当する部位の両端部近傍に芯金を固定するピストンを芯金の前後方向に対向して設け、前記上型に合成樹脂の供給口を開口させ、前記上・下型の境界部に前記芯金の外周面に合成樹脂を供給するための供給通路を形成したことを特徴とする足掛具の芯金を合成樹脂で被覆する装置。
【発明の詳細な説明】
【０００１】
【発明の属する技術分野】
本発明は、足掛具の芯金を保持する下型と芯金の上部を覆う上型とからなる足掛具の芯金を合成樹脂で被覆する装置に関するものである。
【０００２】
【従来の技術】
従来，コ字状の芯金を保持する下型と芯金の上部を覆う上型とからなる足掛具の芯金を合成樹脂で被覆する装置として図４に示すように、下型３０に載置された足掛具用芯金３１を側部側と足踏部側とに配置した複数の合成樹脂製の間隔保持部材３２，３２，…によって浮遊状態に保持させ、射出成形型アセンブリ３３によって前記足掛具用芯金３１の外周に合成樹脂を給送して足掛具用芯金３１を合成樹脂で覆うようにしたものがある。
【０００３】
【発明が解決しようとする課題】
ところで、前記足掛具用芯金３１を浮遊状態に保持させるためには間隔保持部材３２，３２，…を合成樹脂により事前に製作しておかなければならず、また側部側と足踏部側とでは間隔保持部材の形状の異なるものにしなければならないものもあり、間隔保持部材３２，３２，…の製作，芯金３１への取付けが面倒であった。
また、図５に示すように、この装置で足掛具の芯金を合成樹脂で被覆した時に間隔保持部材３２が取り付けられた個所は合成樹脂３４が間隔保持部材３２の合成樹脂と混じり合わず、この部分の強度が弱くなってしまう虞があった。
さらに、間隔保持部材３２，３２，…の取り付けにより、合成樹脂３２の流れが妨げられるので合成樹脂３２の供給通路３５を複数設けなければならなかった。
【０００４】
本発明は、従来の技術の有するこのような問題点に鑑みてなされたものであり、その目的とするところは、足掛具用芯金の浮遊状態を確実，容易に保持させ、足掛具用芯金の外周に合成樹脂を被覆するために１本の供給通路で可能とし、合成樹脂同士の混じり合い面をなくして強度のある足掛具を製作する足掛具の芯金を合成樹脂で被覆する装置を提供しようとするものである。
【０００５】
【課題を解決するための手段】
上記目的を達成するために、本発明における足掛具の芯金を合成樹脂で被覆する装置は、足掛具の芯金を保持する下型と芯金の上部を覆う上型とからなるものにおいて、下型に、足掛具の足踏部と脚部に相当する個所にスプリングで付勢された複数のピンを立設し、且つ足踏部に相当する部位の両端部近傍に芯金を固定するピストンを芯金の前後方向に対向して設け、前記上型に合成樹脂の供給口を開口させ、前記上・下型の境界部に前記芯金の外周面に合成樹脂を供給するための供給通路を形成したことを特徴とするものである。
【０００６】
【発明の実施の形態】
図１ないし図３は本発明の実施例に関するものであり、図１は本発明に係る足掛具の芯金を合成樹脂で被覆する装置の斜視図、図２は本装置の下型に芯金を設置させた斜視図、図３は図１のＩＩＩーＩＩＩ拡大断面図である。
【０００７】
図において、１は足掛具の芯金を合成樹脂で被覆する装置であり、該装置１はコ字状の芯金２を保持する下型３と芯金２の上部を覆う上型４とから構成されている。
【０００８】
下型３は直方体の形状であり、その上面に足掛具全体の下半分の鋳型５が形成され、該鋳型５に前記足掛具の芯金２が保持されるようになっている。また、上面四隅近傍には、前記上型４を合致位置決めするための突起６，６，…が形成されている。
【０００９】
そして、鋳型５内の足掛具の足踏部７と脚部８，８に相当する個所にはスプリング９で付勢された複数のピン１０，１０，…が立設され、芯金２を浮遊状態にさせるようにしている。
【００１０】
また、芯金２の足踏部７に相当する部位の両端部近傍には芯金２を固定するためのピストン１１，１１，…が芯金２の前後方向に対向して設けられている。該ピストン１１，１１，…は、例えば油圧シリンダ１２，１２，…等により前後方向に動作するようになっている。なお、ピストン１１，１１，…を動作させるのに、磁石による磁気エネルギーを利用してもよい。
【００１１】
上型４も直方体の形状であり、その裏面に足掛具全体の上半分の鋳型１３が形成され、該鋳型１３が前記足掛具の芯金２の上部を覆うようになっている。また、裏面四隅近傍には、前記下型３の突起６，６，…に対応して該突起６を嵌挿する孔１４，１４，…が形成されている。
そして、上型４の上面中央部近傍には、合成樹脂を供給する供給口１５が開口され、該上型４と前記下型３の境界部には前記芯金２の外周面に合成樹脂を供給するための供給通路１６が形成されている。
【００１２】
以上のような構成からなる足掛具の芯金を合成樹脂で被覆する装置１において、先ず、芯金２を下型３の鋳型５内の四個所のピン１０，１０，…の上に載置して、芯金２をの浮遊状態にし、前記ピストン１１，１１，…で芯金２の位置を固定する。
そして、下型３の突起６，６，…を上型４の孔１４，１４，…に挿入させて、下型３と上型４を重ねて鋳型５，１３内を密封させる。
【００１３】
次いで、上型４の供給口１５から一定量の合成樹脂を噴射供給させることにより、該合成樹脂は上型４と下型３の境界部に形成された供給通路１６を通って、鋳型５，１３内の全域に供給され、この合成樹脂によって芯金２の外周面は被覆される。
【００１４】
この際、合成樹脂の供給量や供給時間等を考慮して、樹脂が硬化しない流動状態の時、例えば最終放出時を見計らったような一定時間経過後に各ピストン１１，１１，…を後方に動かして芯金２から離すことにより、合成樹脂にピストン１１，１１，…の孔が残らずに合成樹脂で被覆される。
また、芯金２を浮遊状態にしているピン１０，１０，…が形成されている個所は、合成樹脂が鋳型５，１３内を流れる圧力によりピン１０の上面が押されて、該ピン１０の下部に設置されたスプリング９により合成樹脂が被覆されるその略厚さまでピン１０が下げられ（図３参照）ることによって、この部分も合成樹脂にピン１０の孔が残らずに合成樹脂で被覆される。
【００１５】
そして、本装置１は合成樹脂の供給個所が一個所であるので、合成樹脂同士の混じわり面がなく芯金に合成樹脂を被覆することが可能で、足掛具を製作することができる。
【００１６】
尚、本実施例では上型４と下型３を上下に配置して構成した装置１を例示したが、装置によっては上型４と下型３を左右に配置して、足踏部７の芯金２を上位に位置させるようにすることも可能であり、この場合前記ピン１０，１０，…は下型３に対向して上型４にも形成することで、芯金２を確実に浮遊状態にさせることができる。
【００１７】
【発明の効果】
本発明に係る足掛具の芯金を合成樹脂で被覆する装置は、足掛具の芯金を保持する下型と芯金の上部を覆う上型とからなるものにおいて、下型に、足掛具の足踏部と脚部に相当する個所にスプリングで付勢された複数のピンを立設し、且つ足踏部に相当する部位の両端部近傍に芯金を固定するピストンを芯金の前後方向に対向して設け、前記上型に合成樹脂の供給口を開口させ、前記上・下型の境界部に前記芯金の外周面に合成樹脂を供給するための供給通路を形成したので、足掛具用芯金の浮遊状態を確実，容易に保持させ、足掛具用芯金の外周に合成樹脂を被覆するために１本の供給通路で可能とし、合成樹脂同士の混じり合い面をなくして強度のある足掛具を製作する足掛具の芯金を合成樹脂で被覆する装置となる。
【図面の簡単な説明】
【図１】図１は本発明に係る足掛具の芯金を合成樹脂で被覆する装置の斜視図である。
【図２】図２は本装置の下型に芯金を設置させた斜視図である。
【図３】図３は図１のＩＩＩーＩＩＩ拡大断面図である。
【図４】図４は従来の足掛具の芯金を合成樹脂で被覆する装置の下型に芯金を設置させた斜視図である。
【図５】図５は従来の装置で足掛具の芯金に合成樹脂で被覆したときの間隔保持部材が取り付けられた個所の断面図である。
【符号の説明】
１              足掛具の芯金を合成樹脂で被覆する装置
２              芯金
３              下型
４              上型
７              足踏部
８              脚部
９              スプリング
１０            ピン
１１            ピストン
１５            合成樹脂の供給口
１６            供給通路
【図１】
0003575756.tif 000002
【図２】
0003575756.tif 000003
【図３】
0003575756.tif 000004
【図４】
0003575756.tif 000005
【図５】
0003575756.tif 000006